(57)【要約】【課題】  各部材間に生じる複数のクリアランスを解消し、モジュール外形に対する画面位置ばらつきを抑制すると共に、狭額縁化にも対応可能な表示装置を提供すること。【解決手段】  表示パネルＬＣＰと、該表示パネルを所定位置に配置するモールドフレームＭＦＲと、該モールドフレームを収容する下フレームＳＦＲと、該表示パネルの周辺部を覆うと共に、該下フレームに被さるよう配置される上フレームＵＦＲとを有する表示装置において、該上フレームは、組立基準位置を有し、該組立基準位置に対向する場所にバネ状構造部１を備え、該バネ状構造部は、該下フレームの一部に設けた開口部を経て、該モールドフレームに接触し、該モールドフレームを、該組立基準位置方向に押圧し、該モールドフレームと該上フレームとの間に該下フレームを挟持することを特徴とする。【選択図】図３
2011170275.tif 000002
【特許請求の範囲】
【請求項１】
表示パネルと、該表示パネルを所定位置に配置するモールドフレームと、該モールドフレームを収容する下フレームと、該表示パネルの周辺部を覆うと共に、該下フレームに被さるよう配置される上フレームとを有する表示装置において、
該上フレームは、組立基準位置を有し、該組立基準位置に対向する場所にバネ状構造部を備え、
該バネ状構造部は、該下フレームの一部に設けた開口部を経て、該モールドフレームに接触し、該モールドフレームを、該組立基準位置方向に押圧し、該モールドフレームと該上フレームとの間に該下フレームを挟持することを特徴とする液晶表示装置。
【請求項２】
請求項１に記載の表示装置において、該バネ状構造部は、該モールドフレームを該下フレーム側に押圧する機能も有することを特徴とする表示装置。
【請求項３】
請求項１又は２に記載の表示装置において、該モールドフレームには、該バネ状構造部が接触する位置に突起を形成することを特徴とする表示装置。
【請求項４】
請求項１乃至３のいずれかに記載の表示装置において、該組立基準位置は、該上フレームの角部に設けられていることを特徴とする表示装置。
【請求項５】
請求項１乃至３のいずれかに記載の表示装置において、該組立基準位置は、該上フレームの隣接する２つの側面に設けられると共に、該バネ状構造部を複数備えることを特徴とする表示装置。
【発明の詳細な説明】
【技術分野】
【０００１】
本発明は表示装置に関し、特に、モールドフレームと上フレーム及び下フレームを備えた表示装置に関する。
【背景技術】
【０００２】
液晶表示パネルや有機エレクトロルミネッセント表示パネルを組み込んだ表示装置は、デジタル・カメラ、携帯電話、又は携帯情報端末など多くの電子機器の表示装置として利用されている。これらの表示装置は、表示パネルを所定位置に配置する樹脂製のモールドフレームと、該モールドフレームを収容する金属製の下フレームと、さらに、表示パネルの周辺部を覆うと共に、該下フレームに被さるように配置される金属製の上フレームなど、複数の部材を組み合わせて構成される。
【０００３】
また、表示装置を構成する各部材間には、各部材の寸法バラツキや組立時の作業性などを考慮し、適宜クリアランスが設けられている。このため、多くの部材を組み付けると、各々のクリアランスが累積し、結果として、モジュール外形に対する表示位置のばらつきが大きくなるという問題があった。
【０００４】
各部材を組み付けた際の配置のばらつきを抑制する方法として、特許文献１のように、液晶表示パネルとプラスチックフレームとの隙間にクサビをはめ込む方法や、特許文献２のように、液晶表示パネルを収容するフレームケースに、液晶表示パネルを押圧するバネ部材を設けることが提案されている。
【０００５】
しかしながら、特許文献１のようなクサビをはめ込む方法では、はめ込み作業中に液晶表示パネルなどの構成部材に衝撃や応力が掛り、部材の損傷や歪を招く原因となる。また、特許文献１及び２のいずれの方法であって、部材間毎のクリアランスに対してクサビやバネ部材の構成が必要となり、各部材間の構成が複雑化する上、製造工程も煩雑なものとなる。しかも、小型の表示装置においては狭額縁化の要請が高く、クサビやバネ部材などの調整部材を複数設けることは困難である。
【先行技術文献】
【特許文献】
【０００６】
【特許文献１】特開平１１−２４９１１３号公報
【特許文献２】特開２００５−２４１８２３号公報
【発明の概要】
【発明が解決しようとする課題】
【０００７】
本発明の解決しようとする課題は、上述した問題を解消し、各部材間に生じる複数のクリアランスを解消し、モジュール外形に対する画面位置ばらつきを抑制すると共に、狭額縁化にも対応可能な表示装置を提供することである。
【課題を解決するための手段】
【０００８】
本発明の表示装置は、上述した課題を解決するため、以下のような特徴を有する。
【０００９】
（１）  表示パネルと、該表示パネルを所定位置に配置するモールドフレームと、該モールドフレームを収容する下フレームと、該表示パネルの周辺部を覆うと共に、該下フレームに被さるよう配置される上フレームとを有する表示装置において、該上フレームは、組立基準位置を有し、該組立基準位置に対向する場所にバネ状構造部を備え、該バネ状構造部は、該下フレームの一部に設けた開口部を経て、該モールドフレームに接触し、該モールドフレームを、該組立基準位置方向に押圧し、該モールドフレームと該上フレームとの間に該下フレームを挟持することを特徴とする。
【００１０】
（２）  上記（１）に記載の表示装置において、該バネ状構造部は、該モールドフレームを該下フレーム側に押圧する機能も有することを特徴とする。
【００１１】
（３）  上記（１）又は（２）に記載の表示装置において、該モールドフレームには、該バネ状構造部が接触する位置に突起を形成することを特徴とする。
【００１２】
（４）  上記（１）乃至（３）のいずれかに記載の表示装置において、該組立基準位置は、該上フレームの角部に設けられていることを特徴とする。
【００１３】
（５）  上記（１）乃至（３）のいずれかに記載の表示装置において、該組立基準位置は、該上フレームの隣接する２つの側面に設けられると共に、該バネ状構造部を複数備えることを特徴とする。
【発明の効果】
【００１４】
本発明の表示装置のように、上フレームは、組立基準位置を有し、該組立基準位置に対向する場所にバネ状構造部を備え、該バネ状構造部は、下フレームの一部に設けた開口部を経て、モールドフレームに接触し、該モールドフレームを、該組立基準位置方向に押圧し、該モールドフレームと該上フレームとの間に該下フレームを挟持するよう構成されているため、上フレームに設けたバネ状構造部のみで、モールドフレーム及び下フレームのクリアランスが解消でき、モジュール外形に対する画面位置ばらつきが抑制できる。しかも、構成が複雑化しないため、狭額縁化にも十分に対応可能なものとなる。
【００１５】
また、本発明の表示装置において、バネ状構造部は、モールドフレームを下フレーム側に押圧する機能も有するため、表示パネル奥行き方向についても、モールドフレームを下フレーム側に押し付け、両者間にクリアランスが発生するのを抑制することができる。また、液晶表示装置の場合には、モールドフレームがバックライト用の反射シートを押さえ付けることも可能となり、反射シートの伸縮による表示画面に平行な方向のうねりを緩和することも可能となる。
【００１６】
また、本発明の表示装置において、モールドフレームには、バネ状構造部が接触する位置に突起を形成するため、バネ状構造部が発生する押圧力を効率的にモールドフレームに伝達することが可能となり、より確実に各部材間のクリアランスを解消することができる。
【００１７】
さらに、本発明の表示装置において、該組立基準位置は、該上フレームの角部に設けるだけでなく、上フレームの隣接する２つの側面に設けることも可能であり、組立基準位置の場所や数に応じて、バネ状構造部を一つ又は複数備えることで、より確実に各部材間のクリアランスを解消することできる。
【図面の簡単な説明】
【００１８】
【図１】表示装置を構成する各部材の様子を示す斜視図である。
【図２】図１の各部材を組み付けた状態を示す、表示装置の斜視図である。
【図３】図２における、矢印Ａ−Ａにおける断面図であり、特に、両端部の状態を示す断面図である。
【発明を実施するための形態】
【００１９】
本発明に係る表示装置について、以下に詳細に説明する。図１は、本発明が適される表示装置、特に、液晶表示装置の組み付ける前の状態を示す斜視図である。図２は、図１の各部材を組み付けた状態を示している。
【００２０】
本発明に係る表示装置には、液晶表示パネルＬＣＰなどの表示パネルと、該表示パネルを所定位置に配置するモールドフレームＭＦＲと、該モールドフレームを収容する下フレームＳＦＲと、該表示パネルの周辺部を覆うと共に、該下フレームに被さるよう配置される上フレームＵＦＲを有している。表示パネルは、液晶表示パネルに限らず、有機エレクトロ・ルミネッセント表示パネルであっても良いが、図１に示すように、上フレームＵＦＲ、モールドフレームＭＦＲ、及び下フレームＳＦＲを使用する表示装置には、特に、本発明を好適に適用することができる。
【００２１】
本発明の表示装置において、特に各部材を構成する材料には限定されないが、従来の表示装置と同様に、金属製の上フレーム及び下フレーム、並びに樹脂製のモールドフレームが利用可能である。
【００２２】
図１に示すように、液晶表示パネルＬＣＰに接続されたフレキシブル・プリント回路（ＦＰＣ１）には、表示画面を構成する各画素を駆動するための配線が設けられている。また、モールドフレームは、枠状の部材であるが、図１では、液晶表示パネルの照明光源となるバックライトＢＬと、拡散シートやプリズムシートなど、液晶表示パネルに照射する光量分布を均一化するための光学シートＯＳを、モールドフレームＭＦＲに配置した状態を示している。フレキシブル・プリント回路（ＦＰＣ２）は、バックライトの発光源である発光ダイオードなどに電力を供給するための配線である。
【００２３】
図２は、図１の各部材を互いに組み付けた状態を示しているが、本発明の表示装置は、上フレームや下フレーム、及びモールドフレームと、複数の部材で構成されているため、単に組み付けた状態では、各部材間に発生するクリアランスにより、表示装置のモジュールの外形に対する液晶表示パネルＬＣＰの画面位置を、常に所定の場所に配置することが困難となる。
【００２４】
本発明では、この不具合を解消するため、例えば、図２に示した矢印Ｐの位置を、組立基準位置として、全ての部材、特に、上フレーム内に収容された、モールドフレームや下フレームを位置決めするよう構成されている。
【００２５】
具体的には、図２の矢印Ａ−Ａでの断面である、図３に示すように、上フレームＵＦＲは、組立基準位置（図２の符号Ｐであり、図３（ａ）の上フレームＵＦＲの側面）を有し、該組立基準位置に対向する場所にバネ状構造部１（図３（ｂ）参照）を備え、該バネ状構造部１は、下フレームＳＦＲの一部に設けた開口部を経て、モールドフレームＭＦＲに接触し、該モールドフレームを、該組立基準位置方向に押圧し、該モールドフレームＭＦＲと該上フレームＵＦＲとの間に該下フレームＳＦＲを挟持するよう構成されている。
【００２６】
下フレームＳＦＲの開口部は、下フレームの側面に設けられた開口に限らず、当該側面の端部から切り込み状に設けられた凹部であっても良い。
【００２７】
モールドフレームＭＦＲには、バネ状構造部１が接触する位置に突起２を形成することで、バネ状構造部１の押圧力を効率良くモールドフレームに伝達することが可能となっている。
【００２８】
基本的に、バネ状構造部１の押圧力は、図３の横方向で組立基準位置に向かう方向に働けば良い。この横方向の押圧力で、モールドフレームＭＦＲは、組立基準位置の方向に押され、さらに、モールドフレームＭＦＲが移動することで、下フレームＳＦＲを上フレームＵＦＲの側面（組立基準位置）に押し付ける作用をする。これにより、図３（ａ）に示すように、上フレーム、下フレーム及びモールドフレームの３つの部材が、上フレームの組立基準位置に一体的に配置されることとなる。
【００２９】
さらに、図３（ｂ）の矢印Ｆに示すように、モールドフレームＭＦＲを下フレームＳＦＲ側に押圧する成分を有するよう構成することも可能である。このような下フレームに向かう押圧力により、表示パネル奥行き方向（図３の縦方向）についても、モールドフレームを下フレーム側に押し付け、両者間にクリアランスが発生するのを抑制することができる。また、液晶表示装置の場合には、モールドフレームがバックライト用の反射シートＲＳを押さえ付けることも可能となり、反射シートの伸縮による表示画面に平行な方向のうねりを緩和することも可能となる。
【００３０】
図２及び図３では、上フレームの組立基準位置Ｐは、該上フレームの角部に設けられており、これに対向する角部にバネ状構造部１が形成されている。本発明はこの様な構成に限らず、例えば、図２に示すＸ−Ｙ軸方向で、別々に組立基準位置を設けることも可能である。上フレームの隣接する２つの側面である、図２の左側の側面と上側の側面に、Ｘ軸方向の組立基準位置とＹ軸方向の組立基準位置を設け、図２の右側の側面と下側の側面に、各バネ状構造部を配置することも可能である。そして、このような複数の組立基準位置が互いに協働することで、図２の矢印Ｐで示す位置に、全ての部材を位置決めすることが可能となる。このように、複数のバネ状構造部を設けることで、より大きな押圧力が発揮でき、より確実に各部材を配置固定することができる。
【産業上の利用可能性】
【００３１】
以上のように、本発明によれば、各部材間に生じる複数のクリアランスを解消し、モジュール外形に対する画面位置ばらつきを抑制すると共に、狭額縁化にも対応可能な表示装置を提供することが可能となる。
【符号の説明】
【００３２】
１  バネ状構造部
２  突起
ＢＬ  バックライト
ＦＰＣ１，２  フレキシブル・プリント回路
ＬＣＰ  液晶表示パネル
ＭＦＲ  モールドフレーム
ＯＳ  光学シート
ＲＳ  反射シート
ＳＦＲ  下フレーム
ＵＦＲ  上フレーム
【図１】
2011170275.tif 000003
【図２】
2011170275.tif 000004
【図３】
2011170275.tif 000005